(57)【要約】【課題】格納式のチャイルドシートに好適なサポート性能を付与することのできる車両用シート装置を提供すること。【解決手段】シート装置１１は、シートバック３のフレームに固定されるバックベース１３と、このバックベース１３に対して回動可能に連結された可動部材ＭＰと、これらのバックベース１３及び可動部材ＭＰを覆うシート表皮Ｘの内側に設けられる空気袋３０と、を備える。このシート装置１１は、その可動部材ＭＰが回動することによりシートバック３の背もたれ面３ｓを分割してシート１上にチャイルドシート１０を展開する。そして、その空気袋３０が拡張することによりシート表皮Ｘを膨出させてチャイルドシート１０のサポート形状を形成する。【選択図】図９
2018079800.tif 000002
【特許請求の範囲】
【請求項１】
シートバックのフレームに固定されるバックベースと、
前記バックベースに対して回動可能に連結された可動部材と、
前記バックベース及び前記可動部材を覆うシート表皮の内側に設けられる空気袋と、
を備え、
前記可動部材が回動することにより前記シートバックの背もたれ面を分割してシート上にチャイルドシートを展開するとともに、
前記空気袋が拡張することにより前記シート表皮を膨出させて前記チャイルドシートのシートサポート形状を形成する車両用シート装置。
【請求項２】
請求項１に記載の車両用シート装置において、
前記シートバックの上下方向に延びる連結軸周りに前記バックベースに対して回動することにより前記背もたれ面に前記チャイルドシートのサイドサポート部を展開するサイドパドルを備えること、を特徴とする車両用シート装置。
【請求項３】
請求項２に記載の車両用シート装置において、
前記サイドパドルと前記シート表皮との間に介在される前記空気袋を備えること、
を特徴とする車両用シート装置。
【請求項４】
請求項１〜請求項３の何れか一項に記載の車両用シート装置において、
前記シートバックの幅方向に延びる連結軸周りに前記バックベースに対して回動することによりシートクッション上に前記チャイルドシートの着座部を展開するクッションベースを備えること、を特徴とする車両用シート装置。
【請求項５】
請求項４に記載の車両用シート装置において、
前記クッションベースと前記シート表皮との間に介在される前記空気袋を備えること、
を特徴とする車両用シート装置。
【請求項６】
請求項１〜請求項５の何れか一項に記載の車両用シート装置において、
前記バックベースと前記シート表皮との間に介在される前記空気袋を備えること、
を特徴とする車両用シート装置。
【請求項７】
請求項１〜請求項６の何れか一項に記載の車両用シート装置において、
前記バックベースと前記可動部材との間の連結軸を跨ぐ状態で前記バックベースと前記シート表皮との間及び前記可動部材と前記シート表皮との間に介在される展開用の空気袋を備えること、を特徴とする車両用シート装置。
【請求項８】
請求項１に記載の車両用シート装置において、
前記シートバックの上下方向に延びる連結軸周りに前記バックベースに対して回動することにより前記背もたれ面に前記チャイルドシートのサイドサポート部を展開するサイドパドルと、
前記連結軸を跨ぐ状態で前記バックベースと前記シート表皮との間及び前記サイドパドルと前記シート表皮との間に介在される展開用の空気袋と、を備えること、
を特徴とする車両用シート装置。
【請求項９】
請求項８に記載の車両用シート装置において、
前記展開用の空気袋は、前記サイドパドルの上端部に設けられること、
を特徴とする車両用シート装置。
【請求項１０】
請求項８又は請求項９に記載の車両用シート装置において、
前記展開用の空気袋は、前記サイドパドルと前記シート表皮との間に介在されるサポート用の空気袋と一体に構成されること、を特徴とする車両用シート装置。
【請求項１１】
請求項８〜請求項１０の何れか一項に記載の車両用シート装置において、
前記シートバックの幅方向に延びる連結軸周りに前記バックベースに対して回動することによりシートクッション上に前記チャイルドシートの着座部を展開するクッションベースを備えるとともに、
前記クッションベースは、前記展開用の空気袋が拡張することにより回動した前記サイドパドルに押圧されて展開方向に回動するように構成されること、
を特徴とする車両用シート装置。
【発明の詳細な説明】
【技術分野】
【０００１】
本発明は、車両用シート装置に関するものである。
【背景技術】
【０００２】
従来、車両用のシート装置には、シートに格納されたチャイルドシートを、そのシート上に展開可能なものがある。例えば、特許文献１に記載のシート装置は、シートバックの背もたれ面を分割して回動することによりシートクッション上にチャイルドシートのクッション部を形成する可動部材（支持体及びクッション体）を備えている。また、特許文献２には、そのシートの内側に設けられた格納室内に、空気の充填により膨らむ所謂風船式のチャイルドシートを格納する構成が開示されている。そして、この従来例においては、その格納室内で膨らんだチャイルドシートがシートバックの背もたれ面、或いはシートクッションの着座面に設けられた蓋部を押し開けることにより、そのチャイルドシートがシート上に展開される構成になっている。
【先行技術文献】
【特許文献】
【０００３】
【特許文献１】特開平８−１１６０４号公報
【特許文献２】米国特許第７４１３２４９号明細書
【発明の概要】
【発明が解決しようとする課題】
【０００４】
しかしながら、上記従来技術のような格納式のチャイルドシートには、その着座する子供の体格に対応した最適なシートサポート形状を設定することが難しいという問題がある。即ち、子供の成長を踏まえて予め大きな形状を設定することで、そのサポート性能が低下することになる。そして、この制約により、その格納式のチャイルドシートを利用することのできる期間が限られてしまうおそれがあることから、この点において、なお改善の余地を残すものとなっていた。
【０００５】
本発明は、上記問題点を解決するためになされたものであって、その目的は、格納式のチャイルドシートに好適なサポート性能を付与することのできる車両用シート装置を提供することにある。
【課題を解決するための手段】
【０００６】
上記課題を解決する車両用シート装置は、シートバックのフレームに固定されるバックベースと、前記バックベースに対して回動可能に連結された可動部材と、前記バックベース及び前記可動部材を覆うシート表皮の内側に設けられる空気袋と、を備え、前記可動部材が回動することにより前記シートバックの背もたれ面を分割してシート上にチャイルドシートを展開するとともに、前記空気袋が拡張することにより前記シート表皮を膨出させて前記チャイルドシートのシートサポート形状を形成することが好ましい。
【０００７】
上記構成によれば、空気袋の拡張により膨出したシート表皮が、そのチャイルドシートに着座する子供の体格に対応した最適なシートサポート形状を形成する。即ち、着座した子供に当接する部分のシート表皮を膨出させることで、その子供の体格に合わせてチャイルドシートのシートサポート形状を最適化することができる。更に、そのバックベース及び展開した可動部材が、チャイルドシートのフレームとして機能することで、安定的に、そのチャイルドシートに加わるシート荷重を支えることができる。そして、これにより、そのシート上に展開されたチャイルドシートに対して好適なサポート性能を付与することができる。
【０００８】
上記課題を解決する車両用シート装置は、前記シートバックの上下方向に延びる連結軸周りに前記バックベースに対して回動することにより前記背もたれ面に前記チャイルドシートのサイドサポート部を展開するサイドパドルを備えることが好ましい。
【０００９】
上記構成によれば、展開したサイドサポート部によって、幅方向のシート荷重を支えることができる。更に、このサイドサポート部のサポート面を形成するシート表皮の内側において、そのサイドパドルがチャイルドシートのフレームとして機能する。そして、これにより、そのシート上に展開されたチャイルドシートに対して好適なサポート性能を付与することができる。
【００１０】
上記課題を解決する車両用シート装置は、前記サイドパドルと前記シート表皮との間に介在される前記空気袋を備えることが好ましい。
上記構成によれば、空気袋の拡張により膨出したシート表皮が、サイドパドルの回動により展開したチャイルドシートのサイドサポート部について、そのチャイルドシートに着座する子供の体格に対応した最適なシートサポート形状を形成する。そして、これにより、そのシート上に展開されたチャイルドシートに対して好適なサポート性能を付与することができる。
【００１１】
上記課題を解決する車両用シート装置は、前記シートバックの幅方向に延びる連結軸周りに前記バックベースに対して回動することによりシートクッション上に前記チャイルドシートの着座部を展開するクッションベースを備えることが好ましい。
【００１２】
上記構成によれば、展開した着座部によって、チャイルドシートに着座する子供の着座荷重を支えることができる。更に、この着座部の着座面を形成するシート表皮の内側において、そのクッションベースがチャイルドシートのフレームとして機能する。そして、これにより、そのシート上に展開されたチャイルドシートに対して好適なサポート性能を付与することができる。
【００１３】
上記課題を解決する車両用シート装置は、前記クッションベースと前記シート表皮との間に介在される前記空気袋を備えることが好ましい。
上記構成によれば、空気袋の拡張により膨出したシート表皮が、クッションベースの回動により展開したチャイルドシートの着座部について、そのチャイルドシートに着座する子供の体格に対応した最適なシートサポート形状を形成する。そして、これにより、そのシート上に展開されたチャイルドシートに対して好適なサポート性能を付与することができる。
【００１４】
上記課題を解決する車両用シート装置は、前記バックベースと前記シート表皮との間に介在される前記空気袋を備えることが好ましい。
上記構成によれば、空気袋の拡張により膨出したシート表皮が、当該シート表皮及びバックベースが形成するチャイルドシートの背もたれ部について、そのチャイルドシートに着座する子供の体格に対応した最適なシートサポート形状を形成する。そして、これにより、そのシート上に展開されたチャイルドシートに対して好適なサポート性能を付与することができる。
【００１５】
上記課題を解決する車両用シート装置は、前記バックベースと前記可動部材との間の連結軸を跨ぐ状態で前記バックベースと前記シート表皮との間及び前記可動部材と前記シート表皮との間に介在される展開用の空気袋を備えることが好ましい。
【００１６】
上記構成によれば、展開用の空気袋は、チャイルドシートの格納時、折り畳まれた状態で、バックベースと可動部材との間に介在される。また、この展開用の空気袋は、空気が充填されることにより、その折り畳み形状が拡開する態様で拡張する。そして、この拡張する展開用の空気袋がバックベース及び可動部材を押圧する力に基づいて、可動部材を展開方向に回動させることができる。つまり、チャイルドシートを自動的に展開することができる。そして、これにより、その利用者の利便性を向上させることができる。
【００１７】
上記課題を解決する車両用シート装置は、前記シートバックの上下方向に延びる連結軸周りに前記バックベースに対して回動することにより前記背もたれ面に前記チャイルドシートのサイドサポート部を展開するサイドパドルと、前記連結軸を跨ぐ状態で前記バックベースと前記シート表皮との間及び前記サイドパドルと前記シート表皮との間に介在される展開用の空気袋と、を備えることが好ましい。
【００１８】
上記構成によれば、展開用の空気袋は、チャイルドシートの格納時、折り畳まれた状態で、バックベースとサイドパドルとの間に介在される。また、この展開用の空気袋は、空気が充填されることにより、その折り畳み形状が拡開する態様で拡張する。そして、この拡張する展開用の空気袋がバックベース及びサイドパドルを押圧する力に基づいて、サイドパドルを展開方向に回動させることができる。つまり、チャイルドシートのサイドサポート部を自動的に展開することができる。そして、これにより、その利用者の利便性を向上させることができる。
【００１９】
上記課題を解決する車両用シート装置は、前記展開用の空気袋は、前記サイドパドルの上端部に設けられることが好ましい。
上記構成によれば、拡張した展開用の空気袋が、チャイルドシートに着座した子供の頭部に当接する部分のシート表皮を膨出させる。そして、これにより、その子供の頭部に当接する部分について、高いサポート性能を付与することができる。
【００２０】
上記課題を解決する車両用シート装置は、前記展開用の空気袋は、前記サイドパドルと前記シート表皮との間に介在されるサポート用の空気袋と一体に構成されることが好ましい。
【００２１】
上記構成によれば、チャイルドシートの展開と併せて、速やかに、そのチャイルドシートに着座する子供の体格に対応した最適なシートサポート形状を形成することができる。
上記課題を解決する車両用シート装置は、前記シートバックの幅方向に延びる連結軸周りに前記バックベースに対して回動することによりシートクッション上に前記チャイルドシートの着座部を展開するクッションベースを備えるとともに、前記クッションベースは、前記展開用の空気袋が拡張することにより回動した前記サイドパドルに押圧されて展開方向に回動するように構成されることが好ましい。
【００２２】
上記構成によれば、チャイルドシートの着座部及びサイドサポート部を自動的に展開することができる。
【発明の効果】
【００２３】
本発明によれば、格納式のチャイルドシートに好適なサポート性能を付与することができる。
【図面の簡単な説明】
【００２４】
【図１】車両用のシートの斜視図。
【図２】シート上に格納式のチャイルドシートを展開するシート装置の斜視図（格納状態）。
【図３】シート上に格納式のチャイルドシートを展開するシート装置の斜視図（部分展開状態）。
【図４】シート上に格納式のチャイルドシートを展開するシート装置の斜視図（展開状態）。
【図５】シート装置の斜視図（展開状態）。
【図６】シート装置の断面図（展開状態、図４におけるVI-VI断面）。
【図７】シート装置の断面図（格納状態、図２におけるVII-VII断面）。
【図８】シート装置の断面図（展開状態、図４におけるVIII-VIII断面）。
【図９】シート装置の断面図（展開状態、図４におけるIX-IX断面）。
【図１０】シート装置の断面図（展開状態、図４におけるX-X断面）。
【図１１】シート装置の概略構成図。
【図１２】（ａ）（ｂ）は、バックベースに対するサイドパドルの連結軸近傍におけるシート装置の拡大断面図（ａ：格納状態、ｂ：展開状態、図４におけるIX-IX断面）。
【発明を実施するための形態】
【００２５】
以下、シート上に格納式のチャイルドシートを展開する車両用シート装置の一実施形態を図面に従って説明する。
図１に示すように、車両用のシート１は、シートクッション２と、このシートクッション２の後端部に設けられたシートバック３と、を備えている。また、シートバック３の上端には、ヘッドレスト４が設けられている。そして、このシート１には、格納式のチャイルドシート１０が内蔵されている。
【００２６】
具体的には、図１〜図４に示すように、本実施形態のシート１には、シートバック３の背もたれ面３ｓを分割してシート１上にチャイルドシート１０を展開させるシート装置１１が設けられている。尚、図２〜図４には、シート装置１１とともに、シート１（シート表皮Ｘ）の内側において、そのシートフレームの外側を覆う外殻部材（シェル）１２が図示されている。更に、このシート装置１１は、そのチャイルドシート１０のシートサポート形状を調整する機能を有している。そして、本実施形態のシート装置１１は、これにより、そのシート１上に展開されたチャイルドシート１０に着座する子供の体格に対応した最適なシートサポート形状を設定することが可能になっている。
【００２７】
詳述すると、図５及び図６に示すように、本実施形態のシート装置１１は、シートバック３の骨格となるフレームＦに固定されるバックベース１３を備えている。具体的には、このバックベース１３は、略矩形平板状の外形を有している。また、このバックベース１３は、シートバック３の背もたれ面３ｓに沿うように配置される。そして、図示しないバネ部材を介して上記フレームＦに固定されることにより、弾力的に、そのシートバック３の内側に支持される構成になっている。
【００２８】
また、本実施形態のシート装置１１は、このバックベース１３の下端部（各図中、下側の端部）に対して回動可能に連結されたクッションベース１４を備えている。更に、このシート装置１１は、バックベース１３の幅方向両端部に対して回動可能に連結された左右一対のサイドパドル１５を備えている。そして、本実施形態のシート装置１１は、これらの可動部材ＭＰ（１４，１５）が回動することにより、シート１上にチャイルドシート１０を展開し、及び、その展開したチャイルドシート１０をシートバック３の背もたれ面３ｓに格納することが可能な構成となっている。
【００２９】
具体的には、本実施形態のクッションベース１４は、略矩形平板状の本体部１６と、この本体部１６の幅方向両端部の近傍に立設された一対の側壁部１７と、を備えている。本実施形態のクッションベース１４において、本体部１６の外形寸法は、バックベース１３よりも僅かに大きく設定されている。また、これらの各側壁部１７は、その本体部１６の長手方向に沿って延設されている。更に、これらの各側壁部１７には、それぞれ、そのクッションベース１４の基端側（図６中、右側の端部）となる長手方向の一端側に、バックベース１３に対する連結部１８が形成されている。そして、本実施形態のクッションベース１４は、これらの連結部１８がシートバック３の幅方向に延びる連結軸Ｌ１を形成するかたちで、そのバックベース１３の下端部に連結される構成になっている。
【００３０】
一方、本実施形態の各サイドパドル１５は、それぞれ、略矩形平板状の外形を有している。また、これらの各サイドパドル１５は、それぞれ、その矩形形状の短辺に相当する幅方向の長さが、バックベース１３の幅方向長さの略半分、詳しくは、僅かに短く設定されている。そして、本実施形態の各サイドパドル１５は、それぞれ、シートバック３の上下方向（図５及び図６中、上下方向）に延びる連結軸Ｌ２を有してバックベース１３の幅方向端部に連結される構成になっている。
【００３１】
図２、図３及び図７に示すように、チャイルドシート１０をシートバック３の背もたれ面３ｓに格納する場合、これらの各サイドパドル１５は、その連結軸Ｌ２周りに回動することで、それぞれ、その表面１５ａをバックベース１３の表面１３ａに向かい合わせる態様で折り畳まれる。また、クッションベース１４は、その連結軸Ｌ１周りに回動することで（図５参照）、これらバックベース１３側に折り畳まれた各サイドパドル１５に本体部１６が覆い被さる態様で折り畳まれる。即ち、この状態において、各サイドパドル１５は、クッションベース１４の断面略コ字形状内に格納される。そして、本実施形態のシート装置１１は、これにより、そのクッションベース１４を覆うシート表皮Ｘ１、詳しくは、本体部１６の裏面１６ｂ側を覆う部分が、上記シートバック３の外殻部材１２を覆うシート表皮Ｘ０とともに、そのシートバック３の背もたれ面３ｓを形成する構成になっている。
【００３２】
一方、図３及び図６に示すように、チャイルドシート１０をシート１上に展開する場合、クッションベース１４は、上端側が傾倒するかたちで、そのバックベース１３に対する連結軸Ｌ１周りに回動する。即ち、このクッションベース１４とともに当該クッションベース１４を覆うシート表皮Ｘ１が傾倒することで、そのシートバック３の背もたれ面３ｓが分割される。そして、本実施形態のシート装置１１は、この傾倒したクッションベース１４が着座面２ｓ上に載置される態様で、そのシートクッション２上にチャイルドシート１０の着座部２２を展開する構成になっている。
【００３３】
また、図４及び図８に示すように、このとき、各サイドパドル１５は、それぞれ、その表面１５ａがバックベース１３の表面１３ａから離間する方向に回動する。そして、本実施形態のシート装置１１は、これにより、そのシートバック３の背もたれ面３ｓにチャイルドシート１０の背もたれ部２３が展開されるとともに、この背もたれ部２３の両側に、当該チャイルドシート１０のサイドサポート部２４が展開される構成になっている。
【００３４】
即ち、図８に示すように、本実施形態のシート装置１１は、このような展開状態において、そのバックベース１３及び各サイドパドル１５を覆うシート表皮Ｘ２、詳しくは、そのバックベース１３の表面１３ａを覆う部分が、チャイルドシート１０（の背もたれ部２３）の背もたれ面２３ｓを形成する。そして、このシート表皮Ｘ２における各サイドパドル１５の表面１５ａを覆う部分が、そのサイドサポート部２４のサポート面２４ｓを形成する構成になっている。
【００３５】
また、図５に示すように、本実施形態のシート装置１１は、そのバックベース１３、並びに可動部材ＭＰを構成するクッションベース１４及び各サイドパドル１５に固定された複数の空気袋３０を備えている。具体的には、バックベース１３の表面１３ａには、その上下方向に並ぶ一対の空気袋３１，３２が設けられている。また、各サイドパドル１５の表面１５ａには、それぞれ、その長手方向に沿って延びる空気袋３３が設けられている。そして、クッションベース１４の本体部１６にも、その表面１６ａの前端部分（図６参照、同図中、左側の端部近傍）に空気袋３４が設けられている。
【００３６】
即ち、図９及び図１０に示すように、これらの各空気袋３０（３１〜３４）は、それぞれ、そのバックベース１３及び各可動部材ＭＰ（１４，１５）を覆うシート表皮Ｘ（Ｘ１，Ｘ２）の内側に設けられている。また、これらの各空気袋３０は、それぞれ、空気を充填（吸気）することにより拡張し、その内部空気を排出（排気）することにより収縮する。そして、本実施形態のシート装置１１は、これらの各空気袋３０を拡張させることにより、そのチャイルドシート１０のシートサポート形状を形成する構成になっている。
【００３７】
具体的には、図９に示すように、バックベース１３と当該バックベース１３を覆うシート表皮Ｘ２との間に介在された空気袋３１（３２）が拡張することにより、そのチャイルドシート１０の背もたれ面２３ｓを形成する部分のシート表皮Ｘ２が膨出する。そして、各サイドパドル１５と当該各サイドパドル１５を覆うシート表皮Ｘ２との間に介在された各空気袋３３が拡張することにより、そのサイドサポート部２４のサポート面２４ｓを形成する部分においてシート表皮Ｘ２が膨出する。
【００３８】
また、図１０に示すように、本実施形態のシート装置１１は、チャイルドシート１０の展開状態において、そのクッションベース１４を覆うシート表皮Ｘ１、詳しくは、その本体部１６の表面１６ａ側を覆う部分が、チャイルドシート１０（の着座部２２）の着座面２２ｓを形成する。更に、シート表皮Ｘ１における各側壁部１７を覆う部分が、その着座部２２のサイドサポート面２２ｘを形成する。そして、クッションベース１４と当該クッションベース１４を覆うシート表皮Ｘ１との間に介在された空気袋３４が拡張することにより、そのチャイルドシート１０の着座面２２ｓ、詳しくは、その前端部を形成する部分のシート表皮Ｘ１が膨出する。
【００３９】
このように、本実施形態のシート装置１１は、バックベース１３及び各可動部材ＭＰ（１４，１５）に設けられたサポート用の各空気袋３０（３１〜３４）が拡張することにより、そのチャイルドシート１０に着座した子供に当接する部分のシート表皮Ｘ（Ｘ１，Ｘ２）が膨出する。そして、これら各空気袋３０（３１〜３４）の拡縮を制御することにより、そのチャイルドシート１０のシートサポート形状を調整することが可能になっている。
【００４０】
詳述すると、図１１に示すように、本実施形態のシート装置１１は、上記各空気袋３０に空気を圧送するエアポンプ装置４１と、これらの各空気袋３０とエアポンプ装置４１との間に介在された吸排気バルブ装置４２と、を備えている。本実施形態のエアポンプ装置４１には、モータ４３を駆動源としてポンプ機構４４を駆動する電動ポンプが用いられている。更に、吸排気バルブ装置４２は、可撓性を有する樹脂製のエアチューブ４５を介して各空気袋３０及びエアポンプ装置４１に接続されている。即ち、本実施形態のシート装置１１は、これらのエアチューブ４５及び吸排気バルブ装置４２の内部通路によって、その各空気袋３０及びエアポンプ装置４１に連通する空気の流路４６が形成されている。そして、本実施形態の吸排気バルブ装置４２は、これにより、その吸気バルブ４７及び排気バルブ４８を流路４６の途中に配置する構成になっている。
【００４１】
また、本実施形態のシート装置１１において、これらの各吸気バルブ４７及び排気バルブ４８、並びにエアポンプ装置４１は、制御装置５０によって、その作動が制御されている。具体的には、本実施形態の制御装置５０には、各空気袋３０の内圧Ｐや、図示しない操作スイッチに対する操作入力信号Ｓｃｒ、イグニッション信号Ｓｉｇ、及びドアロック信号Ｓｄｌ等が入力される。そして、本実施形態の制御装置５０は、これらの制御信号に基づいて、各空気袋３０を拡縮させるべく、その各吸気バルブ４７及び排気バルブ４８、並びにエアポンプ装置４１の作動を制御する構成になっている。
【００４２】
具体的には、本実施形態の制御装置５０は、各空気袋３０の内圧Ｐについて、その目標値（内圧目標値Ｐ０）を設定する。また、本実施形態の制御装置５０は、その内圧目標値Ｐ０を記憶領域５０ａに保持する。更に、本実施形態のシート装置１１において、各空気袋３０の内圧目標値Ｐ０は、シート１上に展開されたチャイルドシート１０に子供が着座する状態で、その利用者（例えば、子供の保護者等）が、図示しない調整スイッチを用いて最適なシートサポート形状を設定することにより随時更新される（サポート形状調整操作）。そして、本実施形態の制御装置５０は、検出される各空気袋３０の内圧Ｐを、その内圧目標値Ｐ０に一致させるべく、上記エアポンプ装置４１及び吸排気バルブ装置４２の作動を制御する構成になっている。
【００４３】
さらに詳述すると、図５に示すように、本実施形態のシート装置１１において、各サイドパドル１５に設けられた空気袋３３は、その上端部３３ａ、つまりシートバック３の上下方向、上側の端部に配置される部分が、バックベース１３に対するサイドパドル１５の連結軸Ｌ２を跨いで当該バックベース１３側に延びている。
【００４４】
即ち、図７及び図８に示すように、これら各空気袋３３の上端部３３ａは、上記のように、その連結軸Ｌ２を跨ぐ状態で、バックベース１３とシート表皮Ｘ２との間、及びサイドパドル１５とシート表皮Ｘ２との間に介在されている。
【００４５】
具体的には、図７に示すように、シートバック３の背もたれ面３ｓにチャイルドシート１０が格納された状態において、これら各空気袋３３の上端部３３ａは、そのバックベース１３及び各サイドパドル１５を覆うシート表皮Ｘ２とともに、二つ折りにされた状態で、これらバックベース１３と各サイドパドル１５との間に介在されている。また、図８に示すように、これら各空気袋３３の上端部３３ａは、当該各空気袋３３に空気が充填されることにより、その二つ折り形状が拡開する態様で拡張する。そして、本実施形態のシート装置１１は、この拡張する各空気袋３３の上端部３３ａがバックベース１３及びサイドパドル１５を押圧する力に基づいて、その各サイドパドル１５が展開方向に回動する構成になっている。
【００４６】
つまり、本実施形態のシート装置１１は、これら各サイドパドル１５に設けられた空気袋３３の上端部３３ａが、それぞれ、その展開用の空気袋５１として機能する。そして、チャイルドシート１０を利用する際には、これらの各空気袋３３を拡張させることで、そのシートバック３の背もたれ面３ｓに、チャイルドシート１０のサイドサポート部２４を展開させることが可能になっている。
【００４７】
また、図７に示すように、本実施形態のシート装置１１は、このとき、上記のようにクッションベース１４の断面略コ字形状内に格納された各サイドパドル１５が、そのクッションベース１４を押圧しつつ、展開方向に回動する構成になっている。そして、これにより、そのバックベース１３に対する連結軸Ｌ１周りにクッションベース１４が回動（傾倒）することで、シートクッション２上にチャイルドシート１０の着座部２２が展開されるように構成されている。
【００４８】
さらに詳述すると、図１２（ａ）（ｂ）に示すように、本実施形態のシート装置１１において、バックベース１３に対するサイドパドル１５の連結軸Ｌ２は、その長手方向に延びる軸状部５２ａを有したサイドパドル１５側の連結部５２に対し、鈎状部５３ａを有したバックベース１３側の連結部５３を係合させることにより形成される。そして、これらの各連結部５２，５３が設けられた各サイドパドル１５及びバックベース１３の幅方向端部には、それぞれ、互いに当接することにより、その展開方向における各サイドパドル１５の回動量を制限可能なストッパ部５４，５５が設けられている。
【００４９】
また、本実施形態のシート装置１１は、そのバックベース１３に対するサイドパドル１５の連結軸Ｌ２と同軸に設けられた捩りコイルバネ５８を備えている。更に、本実施形態の各サイドパドル１５は、それぞれ、この捩りコイルバネ５８の弾性力（弾性復元力）に基づいて、格納方向に回動付勢されている。そして、本実施形態のシート装置１１は、これにより、その上端部３３ａが展開用の空気袋５１として機能する各空気袋３３内の空気を迅速に排出して、円滑且つ速やかに、そのシートバック３の背もたれ面３ｓに各サイドパドル１５を格納することが可能となっている。
【００５０】
以上、本実施形態によれば、以下のような効果を得ることができる。
（１）シート装置１１は、シートバック３のフレームＦに固定されるバックベース１３と、このバックベース１３に対して回動可能に連結された可動部材ＭＰ（１４，１５）と、これらのバックベース１３及び可動部材ＭＰを覆うシート表皮Ｘ（Ｘ１，Ｘ２）の内側に設けられる空気袋３０（３１〜３４）と、を備える。このシート装置１１は、その可動部材ＭＰが回動することによりシートバック３の背もたれ面３ｓを分割してシート１上にチャイルドシート１０を展開する。そして、その空気袋３０が拡張することによりシート表皮Ｘを膨出させてチャイルドシート１０のシートサポート形状を形成する。
【００５１】
上記構成によれば、空気袋３０の拡張により膨出したシート表皮Ｘが、そのチャイルドシート１０に着座する子供の体格に対応した最適なシートサポート形状を形成する。即ち、着座した子供に当接する部分のシート表皮Ｘを膨出させることで、その子供の体格に合わせてチャイルドシート１０のシートサポート形状を最適化することができる。更に、そのバックベース１３及び展開した可動部材ＭＰが、チャイルドシート１０のフレームとして機能することで、安定的に、そのチャイルドシート１０に加わるシート荷重を支えることができる。そして、これにより、そのシート１上に展開されたチャイルドシート１０に対して好適なサポート性能を付与することができる。
【００５２】
（２）シート装置１１は、シートバック３の上下方向に延びる連結軸Ｌ２を有してバックベース１３の幅方向端部に対して回動可能に連結された一対のサイドパドル１５を備える。そして、その連結軸Ｌ２周りに各サイドパドル１５が回動することにより、シートバック３の背もたれ面３ｓにチャイルドシート１０のサイドサポート部２４を展開する。
【００５３】
上記構成によれば、展開したサイドサポート部２４によって、幅方向のシート荷重を支えることができる。更に、このサイドサポート部２４のサポート面２４ｓを形成するシート表皮Ｘ２の内側において、そのサイドパドル１５がチャイルドシート１０のフレームとして機能する。そして、これにより、そのシート１上に展開されたチャイルドシート１０に対して好適なサポート性能を付与することができる。
【００５４】
（３）シート装置１１は、サイドパドル１５と当該サイドパドル１５を覆うシート表皮Ｘ２との間に介在された空気袋３３を備える。
上記構成によれば、空気袋３３の拡張により膨出したシート表皮Ｘ２が、サイドパドル１５の回動により展開したチャイルドシート１０のサイドサポート部２４について、そのチャイルドシート１０に着座する子供の体格に対応した最適なシートサポート形状を形成する。そして、これにより、そのシート１上に展開されたチャイルドシート１０に対して好適なサポート性能を付与することができる。
【００５５】
（４）シート装置１１は、シートバック３の幅方向に延びる連結軸Ｌ１を有してバックベース１３の下端部に対して回動可能に連結されたクッションベース１４を備える。そして、その連結軸Ｌ１周りにクッションベース１４が回動することにより、シートクッション２上にチャイルドシート１０の着座部２２を展開する。
【００５６】
上記構成によれば、展開した着座部２２によって、チャイルドシート１０に着座する子供の着座荷重を支えることができる。更に、この着座部２２の着座面２２ｓを形成するシート表皮Ｘ１の内側において、そのクッションベース１４がチャイルドシート１０のフレームとして機能する。そして、これにより、そのシート１上に展開されたチャイルドシート１０に対して好適なサポート性能を付与することができる。
【００５７】
（５）シート装置１１は、クッションベース１４と当該クッションベース１４を覆うシート表皮Ｘ１との間に介在された空気袋３４を備える。
上記構成によれば、空気袋３４の拡張により膨出したシート表皮Ｘ１が、クッションベース１４の回動により展開したチャイルドシート１０の着座部２２について、そのチャイルドシート１０に着座する子供の体格に対応した最適なシートサポート形状を形成する。特に、着座部２２の前端部を形成する部分のシート表皮Ｘ１を膨出させることで、より好適に、その乗員となる小さな子供や乳幼児の体格に合わせてチャイルドシート１０のシートサポート形状を最適化することができる。そして、これにより、そのシート１上に展開されたチャイルドシート１０に対して好適なサポート性能を付与することができる。
【００５８】
（６）シート装置１１は、バックベース１３と当該バックベース１３を覆うシート表皮Ｘ２との間に介在された空気袋３１，３２を備える。
上記構成によれば、各空気袋３１，３２の拡張により膨出したシート表皮Ｘ２が、当該シート表皮Ｘ２及びバックベース１３が形成するチャイルドシート１０の背もたれ部２３について、そのチャイルドシート１０に着座する子供の体格に対応した最適なシートサポート形状を形成する。そして、これにより、そのシート１上に展開されたチャイルドシート１０に対して好適なサポート性能を付与することができる。
【００５９】
（７）シート装置１１は、バックベース１３に対するサイドパドル１５の連結軸Ｌ２を跨ぐ状態でバックベース１３とシート表皮Ｘ２との間及びサイドパドル１５とシート表皮Ｘ２との間に介在される展開用の空気袋５１を備える。
【００６０】
上記構成によれば、展開用の空気袋５１は、チャイルドシート１０の格納時、折り畳まれた状態で、バックベース１３とサイドパドル１５との間に介在される。また、この展開用の空気袋５１は、空気が充填されることにより、その折り畳み形状が拡開する態様で拡張する。そして、この拡張する展開用の空気袋５１がバックベース１３及びサイドパドル１５を押圧する力に基づいて、各サイドパドル１５を展開方向に回動させることができる。つまり、チャイルドシート１０のサイドサポート部２４を自動的に展開することができる。そして、これにより、その利用者の利便性を向上させることができる。
【００６１】
（８）展開用の空気袋５１は、サイドパドル１５の上端部に設けられる。このような構成を採用することで、その拡張した展開用の空気袋５１が、チャイルドシート１０に着座した子供の頭部に当接する部分のシート表皮Ｘ１を膨出させる。そして、これにより、その子供の頭部に当接する部分について、高いサポート性能を付与することができる。
【００６２】
（９）展開用の空気袋５１は、サポート用の空気袋３０（３３）と一体に構成されること、を特徴とする車両用シート装置。これにより、チャイルドシート１０の展開と併せて、速やかに、そのチャイルドシート１０に着座する子供の体格に対応した最適なシートサポート形状を形成することができる。
【００６３】
（１０）クッションベース１４は、展開用の空気袋５１が拡張することにより回動したサイドパドル１５に押圧されて展開方向に回動するように構成される。これにより、チャイルドシート１０の着座部２２及びサイドサポート部２４を自動的に展開することができる。
【００６４】
（１１）シート装置１１は、サイドパドル１５を格納方向に回動付勢する付勢部材としての捩りコイルバネ５８を備える。これにより、その展開用の空気袋５１内の空気を迅速に排出して、円滑且つ速やかに、サイドパドル１５を格納することができる。
【００６５】
（１２）バックベース１３及びサイドパドル１５には、互いに当接することにより、展開方向におけるサイドパドル１５の回動量を制限可能なストッパ部５４，５５が設けられる。これにより、サイドサポート部２４の展開位置を規定することができる。そして、その展開位置が保持されることで、チャイルドシート１０のフレームとしての機能を強化することができる。
【００６６】
なお、上記各実施形態は以下のように変更してもよい。
・上記実施形態では、バックベース１３の表面１３ａ、各サイドパドル１５の表面１５ａ、及びクッションベース１４の本体部１６の表面１６ａに、それぞれ、サポート用の空気袋３０（３１〜３４）が設けられることとした。しかし、これに限らず、サポート用の空気袋３０を設ける位置は、任意に変更してもよい。例えば、バックベース１３、各サイドパドル１５、及びクッションベース１４の何れか一つにのみ空気袋３０を設ける構成としてもよく、これらのうちの何れかには空気袋３０を設けない構成としてもよい。そして、例えば、バックベース１３に設ける空気袋３０の数を一つにする等、バックベース１３、各サイドパドル１５、及びクッションベース１４のそれぞれに設ける空気袋３０の数についてもまた、任意に変更してもよい。
【００６７】
・上記実施形態では、サイドパドル１５に設けられた空気袋３３の上端部３３ａが、そのサイドパドル１５を展開方向に回動させる展開用の空気袋５１として機能することとした。しかし、これに限らず、展開用の空気袋５１とサポート用の空気袋３０（３３）とが互いに独立した構成としてもよい。そして、その展開用の空気袋５１が、サイドパドル１５の下端部、即ちシートバック３の上下方向、下方に配置される側の端部に設けられる構成であってもよい。
【００６８】
・また、上記実施形態では、クッションベース１４は、展開用の空気袋５１が拡張することにより回動したサイドパドル１５に押圧されて展開方向に回動するように構成されることとしたが、クッションベース１４とサイドパドル１５とが、それぞれ、独立に回動する構成であってもよい。更に、各サイドパドル１５を手動で展開させる構成としてもよい。そして、クッションベース１４の回動によりシートクッション２上にチャイルドシート１０の着座部２２を展開させた状態において、その格納状態にある各サイドパドル１５を覆うシート表皮Ｘ２が、チャイルドシート１０の背もたれ面２３ｓを形成する構成としてもよい（図３参照）。
【００６９】
・更に、バックベース１３に対するクッションベース１４の連結軸Ｌ１を跨ぐ状態で、バックベース１３とシート表皮Ｘ１との間及びクッションベース１４とシート表皮Ｘ１との間に展開用の空気袋５１を介在させる構成としてもよい。これにより、チャイルドシート１０の着座部２２を独立に、且つ自動的に展開することができる。
【００７０】
・また、その可動部材ＭＰとしてのクッションベース１４を備えない構成としてもよい。尚、この場合、シートクッション２の内側に設けられた空気袋３５（図２参照）を拡張させる等により、その着座面２ｓを膨出させる構成を採用するとよい。そして、サイドパドル１５を備えない構成についてもまた、これを排除しない。
【００７１】
・上記実施形態では、バックベース１３に対するサイドパドル１５の連結軸Ｌ２と同軸となる位置に、サイドパドル１５を格納方向に回動付勢する付勢部材としての捩りコイルバネ５８が設けられることとした。しかし、これに限らず、例えば、板バネやトーションバネ等、付勢部材の構成は任意に変更してもよい。更に、クッションベース１４を格納方向に回動付勢する付勢部材を設けてもよい。そして、このような付勢部材を備えない構成であってもよい。
【００７２】
・上記実施形態では、バックベース１３及びサイドパドル１５には、互いに当接することにより、展開方向におけるサイドパドル１５の回動量を制限可能なストッパ部５４，５５が設けられることとした。しかし、これに限らず、サイドサポート部２４の展開位置を規定するストッパ構造の構成は任意に変更してもよい。そして、このようなストッパ構造を有しない構成であってもよい。
【００７３】
・上記実施形態では、各空気袋３０の内圧目標値Ｐ０は、例えば、子供の保護者等、チャイルドシートの利用者が調整スイッチを用いて最適なシートサポート形状を設定することにより随時更新されることとした。しかし、これに限らず、例えば、カメラを用いた画像解析を行う等、チャイルドシート１０に着座する子供の体格を検知して、自動的に、各空気袋３０の内圧目標値Ｐ０が設定される構成としてもよい。
【００７４】
・上記実施形態では、展開用の空気袋５１は、チャイルドシート１０の格納時、バックベース１３及びサイドパドル１５を覆うシート表皮Ｘ２とともに、二つ折りにされた状態で、これらバックベース１３とサイドパドル１５との間に介在されることとした。しかし、これに限らず、空気が充填されることにより拡開してバックベース１３及び可動部材ＭＰを押圧する力を発生可能な構成であれば、その折り畳み形状は、必ずしも二つ折りでなくともよい。そして、そのシート表皮Ｘについてもまた、格納時、必ずしも二つ折りに折り畳まれる構成でなくともよい。
【００７５】
次に、以上の実施形態から把握することのできる技術的思想を効果とともに記載する。
（イ）前記可動部材を格納方向に回動付勢する付勢部材を備えること、を特徴とする車両用シート装置。これにより、その展開用の空気袋内の空気を迅速に排出して、円滑且つ速やかに、可動部材を格納することができる。
【００７６】
（ロ）前記バックベース及び前記可動部材には、互いに当接することにより、展開方向における前記可動部材の回動量を制限可能なストッパ部が設けられること、を特徴とする車両用シート装置。これにより、可動部材の展開位置を規定することができる。そして、その展開位置が保持されることで、チャイルドシートのフレームとしての機能を強化することができる。
【符号の説明】
【００７７】
１…シート、２…シートクッション、２ｓ…着座面、３…シートバック、３ｓ…背もたれ面、１０…チャイルドシート、１１…シート装置、１２…外殻部材、１３…バックベース、１３ａ…表面、１４…クッションベース、１５…サイドパドル、１５ａ…表面、１６…本体部、１６ａ…表面、１６ｂ…裏面、１７…側壁部、１８…連結部、２２…着座部、２２ｓ…着座面、２２ｘ…サイドサポート面、２３…背もたれ部、２３ｓ…背もたれ面、２４…サイドサポート部、２４ｓ…サポート面、３０（３１〜３４）…サポート用の空気袋、３３ａ…上端部、３５…空気袋、４１…エアポンプ装置、４２…吸排気バルブ装置、４６…流路、４７…吸気バルブ、４８…排気バルブ、５０…制御装置、５１…展開用の空気袋、５２，５３…連結部、５２ａ…軸状部、５３ａ…鈎状部、５４，５５…ストッパ部、５８…捩りコイルバネ、Ｆ…フレーム、ＭＰ…可動部材、Ｌ１，Ｌ２…連結軸、Ｘ（Ｘ０，Ｘ１，Ｘ２）…シート表皮、Ｓｃｒ…操作入力信号、Ｐ…内圧、Ｐ０…内圧目標値。
【図１】
2018079800.tif 000003
【図２】
2018079800.tif 000004
【図３】
2018079800.tif 000005
【図４】
2018079800.tif 000006
【図５】
2018079800.tif 000007
【図６】
2018079800.tif 000008
【図７】
2018079800.tif 000009
【図８】
2018079800.tif 000010
【図９】
2018079800.tif 000011
【図１０】
2018079800.tif 000012
【図１１】
2018079800.tif 000013
【図１２】
2018079800.tif 000014